【事件の表示】
　特許第２８７９２７５号「模様縫いにおける自動糸切りミシン」の特許に対する特許異議の申立てについて、次のとおり決定する。
【結　論】
　訂正を認める。
　特許第２８７９２７５号の特許を維持する。
【理　由】
１．手続きの経緯　
　本件特許第２８７９２７５号は、平成４年１月２９日に特許出願され、平成１１年１月２９日にその特許の設定登録がなされ、その後、猪狩寛より特許異議の申立てがなされ、取消理由通知がなされ、その指定期間内である平成１２年３月２４日に訂正請求がなされたものである。
　
２．訂正の適否についての判断
（１）訂正の内容
　特許権者が求めている訂正の内容は、以下のＡ、Ｂのとおりである。
Ａ．特許請求の範囲の請求項１の記載中
　「前記模様データは該模様を構成する構成要素毎に分割されたブロック縫いデータと該ブロック縫目形成毎に停止と糸切りとを指示する糸切りコマンドを含む縫いデータコードよりなるブロック縫い模様データを記憶している模様データ記憶手段と」とあるのを、
　「前記模様データは該模様を構成する構成要素毎に分割された複数のブロック縫いデータで構成され、さらに、各ブロック縫いデータは、ブロック縫目形成毎に停止と糸切りとを指示する糸切りコードと、ブロック縫目を形成する縫いデータとで構成されており、前記模様データを記憶している模様データ記憶手段と」と訂正する。
Ｂ．明細書の段落【０００３】、【００１５】、【００１７】の記載中、上記の特許請求の範囲の訂正箇所に対応した箇所および関連箇所の記載を訂正明細書に記載のとおりに訂正する。
　
（２）訂正の目的の適否、新規事項の有無及び特許請求の範囲の拡張・変更の有無
　上記訂正Ａは、訂正前の特許請求の範囲の請求項１の記載中、明細書の発明の詳細な説明の記載と一致していなかった記載部分を一致させるようにしたものであり、訂正Ｂは、訂正Ａに関連した箇所を訂正するものであるから、いずれも、明瞭でない記載の釈明に該当するものであり、しかも、訂正前の明細書に記載された事項の範囲内のものであり、この訂正により実質上特許請求の範囲を拡張又は変更するものではない。
　
（３）まとめ
　以上のとおりであるから、上記訂正はいずれも、特許法等の一部を改正する法律（平成６年法律第１１６号）附則第６条第１項の規定によりなお、従前の例によるとされる、特許法第１２０条の４第２項、同条第３項で準用する同法第１２６条第２、３項の規定に適合するので、当該訂正を認める。
　
３．特許異議申立てについての判断
（１）本件発明
　本件請求項１に係る発明は、訂正明細書の特許請求の範囲の請求項１に記載されたつぎのとおりのものである。
「予め記憶されれた複数の模様から所望の模様を選択して模様データにより模様縫目を形成し、糸切り動作のためのソレノイドドライバー及びソレノイドとを含む糸切り駆動手段とを備えた糸切り可能なミシンにおいて、前記模様データは該模様を構成する構成要素毎に分割された複数のブロック縫いデータで構成され、さらに、各ブロック縫いデータは、ブロック縫目形成毎に停止と糸切りとを指示する糸切りコードと、ブロック縫目を形成する縫いデータとで構成されており、前記模様データを記憶している模様データ記憶手段と、作業者に操作可能な操作手段であって、操作により縫製中のブロック縫いデータ中の前記糸切りコードを有効としてブロック縫い終了時に自動的に糸切り動作を行なうブロック糸切り動作を指示する糸切り操作手段とを備えることを特徴とする模様縫いにおける自動糸切りミシン。」（以下、「本件発明」という。）
　
（２）申立ての理由の概要
　申立人は、本件特許は、その明細書の記載が、特許法第３６条第５項に規定する要件を満たしていない特許出願に対してなされたものであるから取り消されるべきであり（申立人は、「特許法第３６条第４項及び同条第６項第１号」としているが、本件については平成２年法が適用されるので上記のように言い換えた。）、また、本件請求項１に係る発明は、甲第１、２号証に記載された発明に基づいて当業者が容易に発明をすることができたものであり、その特許は、特許法第２９条第２項の規定に違反してなされたものであるから、取り消すべき旨主張している。
　　
（３）当審の判断
ｉ）特許法第３６条第５項について
　申立人は、（訂正前の）特許請求の範囲の「前記模様データは該模様を構成する構成要素毎に分割されたブロック縫いデータと該ブロック縫目形成毎に停止と糸切りとを指示する糸切りコマンドを含む縫いデータコードよりなるブロック縫い模様データを記憶している模様データ記憶手段と」（以下、「記載Ａ」という。）なる記載中の「ブロック縫い模様データ」は、明細書の詳細な説明の項に記載されていない文言であるため不備であり、さらに、記載Ａは、「ブロック縫い模様データ＝ブロック縫いデータ＋糸切りコマンド＋縫いデータ」と解釈でき、明細書の詳細な説明の項で説明している「ブロック縫いデータ＝糸切りコード＋縫いデータコード」と一致せず不備であるから、本願は、特許法第３６条第５項に規定する要件を満たしていないと主張しているが、上記の訂正により、記載Ａ中の「ブロック縫い模様データ」を「模様データ」に訂正し、さらに、記載Ａ中の「ブロック縫い模様データ＝ブロック縫いデータ＋糸切りコマンド＋縫いデータ」とも解釈できる記載を、「ブロック縫いデータ＝糸切りコード＋縫いデータコード」であることを明確に示す、「各ブロック縫いデータは、ブロック縫目形成毎に停止と糸切りとを指示する糸切りコードと、ブロック縫目を形成する縫いデータとで構成され」と訂正したので、前記申立てにおいて不備とされた事項は全て解消した。
　したがって、特許請求の範囲の請求項１の記載は、特許法第３６条第５項に規定する要件を満たしている。
　
ii）特許法第２９条第２項について
ａ）証拠
　異議申立人が提出した、甲第１、２号証と、参考資料１、２には概略以下のようなことが記載されている。
（甲第１号証）
　特開昭６３−１４５６９２号公報（昭和６３年６月１７日公開）には『糸切りコードがあっても仕付け縫いコードの有無により、通常の縫製（糸切り有り）及び仕付け縫い（糸切り無し）を選択する』ことが記載されている。
（甲第２号証）
  三菱工業用ミシン取扱説明書「電子パターン縫いミシンＰＬＫ−Ａ６０３０等制御装置編」１９９１年（平成３年）９月作成、８、２３、４２、４４、４５、６５、８５、８６頁には、『糸切りデーターを入力できるティーチング手段と、ディップスイッチを用いて糸切り動作を禁止すること』が記載されている。
（参考資料１）
　特開昭６３−１７１５８１号公報（昭和６３年７月１５日公開）には『刺繍模様を複数のブロックに分割して記録する』ことが記載されている。
（参考資料２）
  特開平２−４５０８７号公報（平成２年２月１５日公開）には『１文字毎に色替えコードが記憶されている自動刺繍ミシン』が記載されている。
ｂ）判断
　しかし、上記の甲第１、２号証及び参考資料１、２のいずれにも、本件発明の「作業者に操作可能な操作手段であって、操作により縫製中のブロック縫いデータ中の糸切りコマンドを有効とする」（以下、「構成イ」という。）に関する記載がなく、示唆もされていない。
　そして、本件発明は、構成イにより「１模様中の糸の色を替えて形成することによる、縫糸によるパッチワークのような模様を所望の位置に変化させて形成することができる。」という甲第１、２号証及び参考資料１、２の記載からは予測し得ない効果を奏する。
  したがって、本件発明は、参考資料の記載を勘案しても、甲第１、２号証の記載に基いて当業者が容易になしえたものとすることはできず、特許法第２９条第２項に違反しているものではない。
　ところで、申立人は、甲第１号証と甲第２号証とに記載されている事項を組合わせて、構成イのようにすることは当業者が容易になし得ることであると、主張しているので、さらに検討する。
　甲第１号証には、糸切り有無の指令が予め記憶されており、それにしたがって、糸切りの実行、非実行を行わせることが記載されているだけであり、甲第２号証には、糸切りデーターを入力できる（記憶させる）ティーチング手段と、ディップスイッチを用いて糸切り動作を禁止することが記載されているにすぎない。
　すなわち、上記の記載事項は、いずれも、本件発明のように予め記憶された糸切り指令を有効にするか、無効にするかを作業者が選択できるものではない。
　また、その対象も模様のブロック毎の糸切り操作に関するものではない。
　なお、申立人はこの主張に関連して、甲第２号証には設定（記憶）した糸切りコードをディップスイッチにより有効、無効に切りかえることができると述べているが、ティーチングによる糸切りコードと、ディップスイッチによる糸切り動作の禁止との関連についての記載はなにもないので、前記申立人の述べた点には、根拠がない。
　したがって、上記の申立人の主張は採用しない。
　
４．むすび
　以上のとおりであるから、本件特許の明細書の特許請求の範囲の記載は、特許法第３６条第５項に規定する要件を満たしており、さらに、本件請求項１に係る発明は、甲第１、２号証に記載された発明に基づいて当業者が容易に発明をすることができたものではないので、本件請求項１に係る特許は、特許法第２９条第２項の規定に違反してなされたものではない。
　また、他に本件請求項１に係る特許を取り消すべき理由を発見しない。
　
　よって、結論のとおり決定する。
【異議決定日】
平成１２年５月３１日（２０００．５．３１）
【訂正の要旨】
訂正の要旨
Ａ．特許請求の範囲の請求項１の記載中
　「前記模様データは該模様を構成する構成要素毎に分割されたブロック縫いデータと該ブロック縫目形成毎に停止と糸切りとを指示する糸切りコマンドを含む縫いデータコードよりなるブロック縫い模様データを記憶している模様データ記憶手段と」とあるのを、明りょうでない記載の釈明を目的として、
「前記模様データは該模様を構成する構成要素毎に分割された複数のブロック縫いデータで構成され、さらに、各ブロック縫いデータは、ブロック縫目形成毎に停止と糸切りとを指示する糸切りコードと、ブロック縫目を形成する縫いデータとで構成されており、前記模様データを記憶している模様データ記憶手段と」と訂正する。
Ｂ．明細書の段落【０００３】、【００１５】、【００１７】の記載中、上記の特許請求の範囲の訂正箇所に対応した箇所および関連箇所の記載を、明りょうでない記載の釈明を目的として、訂正明細書に記載のとおりに訂正する。
（５４）【発明の名称】
模様縫いにおける自動糸切りミシン
（５７）【特許請求の範囲】
　【請求項１】　予め記憶されれた複数の模様から所望の模様を選択して模様データにより模様縫目を形成し、糸切り動作のためのソレノイドドライバー及びソレノイドとを含む糸切り駆動手段とを備えた糸切り可能なミシンにおいて、前記模様データは該模様を構成する構成要素毎に分割された複数のブロック縫いデータで構成され、さらに、各ブロック縫いデータは、ブロック縫目形成毎に停止と糸切りとを指示する糸切りコードと、ブロック縫目を形成する縫いデータとで構成されており、前記模様データを記憶している模様データ記憶手段と、作業者に操作可能な操作手段であって、操作により縫製中のブロック縫いデータ中の前記糸切りコードを有効としてブロック縫い終了時に自動的に糸切り動作を行なうブロック糸切り動作を指示する糸切り操作手段とを備えることを特徴とする模様縫いにおける自動糸切りミシン。
【発明の詳細な説明】
　【０００１】
　【産業上の利用分野】刺繍縫いによって模様を形成する刺繍可能ミシンに関し、特に模様を形成する複数のブロック縫いを夫々独立して刺繍するための糸切り制御をするミシンに関する。
　【０００２】
　【従来技術及び発明が解決しようとする課題】ミシンによる刺繍縫いにおいて、模様を複数のブロックに構成してブロック毎に縫製して刺繍縫目を形成するミシンが知られている。そのような模様において、ブロック毎に上糸の色を変えて、模様をパッチワークのように変化を持たせて形成する場合には、各ブロックの終了毎に作業者がミシンを停止させると共に糸切りしてから、上糸の色を変えて他のブロックの刺繍縫いを行なう必要があった。これに対して予めブロック毎に停止させることを定めて模様データを構成して記憶するものでは、作業者の所望の模様部分のみを停止・糸切りさせることはできなかった。
　【０００３】
　【課題を解決するための手段】このため発明者は種々検討を重ねた結果、本発明は、予め記憶されれた複数の模様から所望の模様を選択して模様データにより模様縫目を形成し、糸切り動作のためのソレノイドドライバー及びソレノイドとを含む糸切り駆動手段とを備えた糸切り可能なミシンにおいて、前記模様データは該模様を構成する構成要素毎に分割された複数のブロック縫いデータで構成され、さらに、各ブロック縫いデータは、ブロック縫目形成毎に停止と糸切りとを指示する糸切りコードと、ブロック縫目を形成する縫いデータとで構成されており、前記模様データを記憶している模様データ記憶手段と、作業者に操作可能な操作手段であって、操作により縫製中のブロック縫いデータ中の前記糸切りコードを有効としてブロック縫い終了時に自動的に糸切り動作を行なうブロック糸切り動作を指示する糸切り操作手段とを備えることを特徴とする模様縫いにおける自動糸切りミシンにより、課題を解決することができた。これにより、模様縫い中に、糸切り操作手段を操作してブロック縫い終了時に糸切りを指示入力することにより、所望のブロック縫い終了時に糸切りするので、所望の長さのブロック縫いのパターンを得ることが容易に行なえる。
　【０００４】
　【実施例】次に本発明の実施例を図面を参照して詳細に説明する。図１は、本発明の構成をブロック説明図で示したものであり、予め定めた複数の模様データを記憶している模様データ記憶手段Ａ１，所望の模様を選択するための模様選択手段Ａ２，上軸回転の位相を検出する上軸位相検出手段Ａ３，ミシンの表示及び駆動手段Ａ４は従来の電子制御ミシンと同一であってミシン制御のための中央演算装置Ａに接続されている。
　【０００５】
ブロック毎の糸切りと最終ブロックにおける糸切りとのいずれかの糸切りモードにするかを選択するため、及びブロック毎の糸切りモードにおいて所望のブロックを糸切りすることを指令するために操作可能な糸切り選択手段Ｂ１，選択された糸切りモード設定を記憶するための糸切り制御設定手段Ｂ２，糸切り演算及び表示のためのデータを記憶する演算・表示データ記憶手段Ｂ３，糸切りを行なうための糸切り駆動手段Ｂ４及び縫製中に指示されたブロック縫い糸きり指令を保持するブロック糸切り設定手段Ｂ５は糸切り動作のための中央演算装置Ｂに接続されている。
　【０００６】
図２は、本発明の模様を構成するブロックを説明するものでり、英文字のＡを例として説明する。本文字においては▲１▼から▲３▼の各大ブロックから構成されており、更に各ブロックは例えば▲１▼においては、ａからｅの小ブロックで構成されている。その縫目のデータの一部は図３の如くであり、模様読み出しのためのアドレスと、糸切りを指示するための糸切りコードと、針と布との相対移動量を指示する縫いデータから構成されている。
　【０００７】
図４は本発明の制御部の詳細な構成図であり、模様選択手段５によって選択された模様の表示データは、模様表示データ記憶手段２から読み出され、表示系３の表示回路３ａに出力され液晶表示体３ｂに表示される。又、選択された模様の縫目形成は、上軸位相検出手段５ａで検出した検出位相に関連して模様データ記憶手段１から読み出した縫いデータに従って、駆動回路６ａに接続された振幅用ステッピングモータ６ｂ及び送り用ステッピングモータ６ｃとそしてモータ駆動回路６ｄと駆動モータ６ｅによって縫目が形成される。
　【０００８】
この一連の制御は、前記中央演算装置Ａ４の演算処理によって行われ、これは公知の電子制御式ジグザグミシンと同様であるので説明は省略する。次に中央演算装置Ｂ９を中心とする制御部Ｂにおける糸切り駆動に関する各構成、機能手段について説明する。
　【０００９】
糸切りキー操作手段１０はキー操作によってキー操作信号を中央演算装置Ｂ９に出力する。糸切りモード設定手段８は、模様選択手段の操作に続いて操作される上記キー操作信号を受けて、模様縫目形成データ中のブロック毎の糸切り命令を有効とするブロック糸切りモードに設定し、模様選択手段の操作に続いて糸切り操作手段が操作されず、操作信号がない場合には、模様縫目形成データ中の最終ブロックの糸切り命令を有効とする模様終了時糸切りモードに設定する。糸切りに対しては、上軸停止時の上軸位相に対して糸切り時に適した上軸位相調整の演算及び糸切り駆動のための計数指令を行い、この計数に従い予め記憶されている基本データを読み取り演算した結果に基づき、指令に従って上軸を位相調整し、その上で前記計数に従い縫いブロック縫い終了時における糸切り命令に対して糸切りされる。これらの糸切り演算及び制御処理は、従来ミシンと同様の前記中央演算装置Ａ４と前記中央演算装置Ｂ９がインターフェイス７を介して互いに関連して伝達されて行われる。
　【００１０】
また１４はブロック糸切り設定手段であつて、運転中に前記糸切りキー操作手段１０が操作されて出力された糸切り信号をブロック糸切り命令として保持するものであり、前記糸切りモード設定手段８がブロック糸切りモードにおいて縫目形成中のブロックの糸切り命令を有効として糸切りするものである。なお、設定された糸切りモードについて前記液晶表示体に設定状態を示す。糸切りモードの変更は再度糸切り操作手段を操作することにより変更されるが、別途取り消し手段をもうけるものであってもよい。
　【００１１】
糸切り駆動手段１３は、前記上軸位相調整データによる上軸位相の調整が行われた後に、ソレノイドドライバー１３ａを介してソレノイド１３ｂを駆動する指令が行われ、これによって上糸と下糸の糸切りが行われるものである。
　【００１２】
該ソレノイドの作動による糸切り機構については、本願出願人が先に出願した特公昭５５−３９３５８などの公知のものであるので、説明を省略するが特定するものではない。
　【００１３】
図５は、本発明における実施例の動作をフローチャートで示す説明図であり、各ステップは以下の通りである。ステップ１（Ｓ１と表わす以下も同様）で所望の模様を模様選択手段を操作して選択する。次にＳ２では糸切り操作手段１０が操作されたか否かを判別し、操作された場合はＳ３でブロック縫い毎の糸切りを実行する糸切りモードを糸切りモード設定手段８に設定する。
　【００１４】
次にＳ４で始動指令手段（図示せず）が操作された場合は、Ｓ５で模様データ記憶手段１からブロック縫いデータを読み出して出力して、Ｓ６でミシンモータ及び模様形成のためのステッピングモータ６ｂ，６ｃを駆動して縫目形成をする。
　【００１５】
Ｓ７でブロック縫いデータ内の糸切り命令を検出した時に、Ｓ８でブロック縫い中に糸切り操作手段が操作されてブロック糸切りが設定されているか否かを判別する。運転中に操作されていない場合は糸切りコードを無視して次のブロック縫いデータの読み出し制御を行なう。運転中に糸切り操作手段１０が操作されて、ブロック糸切り設定手段１４にブロック糸切りが設定されている場合は、Ｓ９でミシンを低速とし或いは一旦停止して糸切りを行なう。
　【００１６】
糸切り後、Ｓ１０で模様がすべて終了か否かを判別して、続くブロック部がある場合はＳ４の始動指令によってＳ５で次のブロックの縫いデータを読み出して同様に縫目を形成する。
　【００１７】
前述のＳ２で糸切り操作キーが操作されず、ブロック縫い糸切りモードが設定されていない場合はＳ１１で模様終了時糸切りモードが設定される。そしてＳ１２で始動指令手段が操作された場合は、Ｓ１３，Ｓ１４で縫いデータを読み出してブロック毎の糸切りコードを無視して縫目を形成する。
　【００１８】
Ｓ１５で最終ブロックか否かを判別して最終ブロックのみＳ１６で糸切りコードを有効としてミシンを低速とし或いは停止して糸切りを行なう。
　【００１９】
尚、本実施例では糸切り駆動手段としてソレノイドを使用したが、これをステッピングモータ等の電動機とすることも可能である。
　【００２０】
更に、本実施例では説明を容易にするため図２においてミシン制御系を通常模様縫いの制御部Ａと縫い終了時に糸切りを行うための糸切り演算制御部Ｂの二つに分けたが、これら制御系を例えばＢの全部をＡに組み入れて一つにまとめた構成とするか、又はＢの一部をＡに組み込んで構成したりすることは本発明の範囲内で適用し得ることは勿論である。
　【００２１】
　【効果】本発明の模様縫いにおける糸切り自在なミシンによれば、模様の途中に色替えする模様などの模様途中に糸切り作業を要する複雑な模様であっても、所望のブロック縫い中に糸切り操作手段を操作することにより、ブロック縫いデータの中の糸切りコードにより、自動的に糸切りを行うので糸切り・停止位置が所望の位置であって且つ縫製毎にばらつかず一定の位置で停止・糸切りをすることができる。これによって、色替え模様が色替え停止位置の設定が容易にできることから、１模様中の糸の色を替えて形成することによる、縫い糸によるパッチワークのような縫い模様を所望の位置に変化させて形成することができる。
【図面の簡単な説明】
　【図１】本発明の構成を示す説明図
　【図２】本発明の模様の複数のブロック部を示す説明図
　【図３】本発明のブロック部のデータ構成の一部分を示す説明図
　【図４】本発明の構成の詳細な説明図
　【図５】本発明の作用を示す説明図
　【符号の説明】
１……模様データ記憶手段
２……模様選択手段
１０…糸切り選択手段